(57)【要約】【課題】弾性支持部材によって対物レンズホルダを変位可能に支持し、電磁力によって対物レンズを変位させる対物レンズアクチュエータにおいて、作業負担が少なく組み立てられる対物レンズアクチュエータを提供する。【解決手段】対物レンズアクチュエータ１５のベース部材１に立設されるゲルホルダ１１の上面には、レンズホルダ２に固着されるフォーカスコイル６及びトラックコイル７ａ〜７ｄへの給電を可能とするフレキシブルプリント基板５０がベース部材１の下部側から延び出して固着されている。フォーカスコイル６及びトラックコイル７ａ〜７ｄのコイル線の両端部は、レンズホルダ２の外部に引き出されてフレキシブルプリント基板５０に電気的に接続される。【選択図】図４
2007334949.tif 000002
【特許請求の範囲】
【請求項１】
光源と、
該光源から出射される光ビームを光記録媒体の記録面に集光する対物レンズと、
前記記録面で反射された反射光を受光する光検出器と、
前記対物レンズを保持し、少なくともフォーカス方向への推進力を発生させるフォーカスコイルとトラッキング方向に推進力を発生させるトラックコイルとを含む複数のコイルが固着されたレンズホルダと、前記レンズホルダを変位可能に支持する弾性支持部材と、ベース部材に設けられて磁気回路を形成する磁石及びヨークと、を有して前記磁石と前記コイルとの電磁力作用によって前記レンズホルダの移動とともに前記対物レンズを変位させる対物レンズアクチュエータと、
を備える光ディスク装置において、
前記レンズホルダは、液晶と該液晶を挟む２枚の透明電極とを有する液晶素子を保持し、
前記レンズホルダの近傍に配置されて前記ベース部材に立設される固定部には、前記コイル及び前記透明電極に給電して前記コイル及び前記液晶素子の制御を可能とするフレキシブルプリント基板が固着されており、
前記コイルのコイル線両端部、及び前記透明電極から引き出される配線は、前記レンズホルダの外部にたるみを有した状態で引き出されて前記フレキシブルプリント基板に電気的に接続され、
前記弾性支持部材は、接着剤で前記対物レンズホルダに固着されることを特徴とする光ディスク装置。
【請求項２】
対物レンズと、
前記対物レンズを保持し、複数のコイルが固着されたレンズホルダと、
前記レンズホルダを変位可能に支持する弾性支持部材と、
ベース部材に設けられて磁気回路を形成する磁石及びヨークと、
を備え、
前記磁石と前記コイルとの電磁力作用によって前記レンズホルダの移動とともに前記対物レンズを変位させる対物レンズアクチュエータにおいて、
前記レンズホルダの近傍には、前記コイルに給電して前記コイルの制御を可能とするフレキシブルプリント基板が延び出しており、
前記コイルのコイル線両端部は、前記レンズホルダの外部に引き出されて前記フレキシブルプリント基板と電気的に接続されることを特徴とする対物レンズアクチュエータ。
【請求項３】
前記弾性支持部材は、接着剤で前記レンズホルダに固着されることを特徴とする請求項２に記載の対物レンズアクチュエータ。
【請求項４】
前記フレキシブルプリント基板は、前記ベース部材に立設される固定部に固着されることを特徴とする請求項２又は請求項３に記載の対物レンズアクチュエータ。
【請求項５】
前記レンズホルダは、液晶と該液晶を挟む２枚の透明電極とを有する液晶素子を保持し、
前記フレキシブルプリント基板は、前記透明電極に給電して前記液晶素子の制御を可能に設けられ、
前記透明電極から引き出される配線は、前記レンズホルダの外部まで引き出されて前記フレキシブルプリント基板に電気的に接続されることを特徴とする請求項２から請求項４のうちのいずれか１項に記載の対物レンズアクチュエータ。
【請求項６】
前記コイル線、又は前記コイル線及び前記配線のうち、前記レンズホルダから外部に引き出される部分はたるみを有することを特徴とする請求項２から請求項５のうちのいずれか１項に記載の対物レンズアクチュエータ。
【請求項７】
前記コイルには、少なくともフォーカス方向への推進力を発生させるフォーカスコイルと、トラッキング方向に推進力を発生させるトラックコイルとが含まれることを特徴とする請求項２から請求項６のうちのいずれか１項に記載の対物レンズアクチュエータ。
【請求項８】
請求項２から請求項７のうちのいずれか１項に記載の対物レンズアクチュエータを備えることを特徴とする光ディスク装置。
【発明の詳細な説明】
【技術分野】
【０００１】
本発明は、光記録媒体の情報の再生や、光記録媒体への情報の記録を行う光ディスク装置に関し、詳細には、光ディスク装置の光学系に備えられる対物レンズを駆動する対物レンズアクチュエータに関する。
【背景技術】
【０００２】
コンパクトディスク（以下、ＣＤという。）やデジタル多用途ディスク（以下、ＤＶＤという。）といった光記録媒体が普及している。更に、近年、光記録媒体の情報量を増やすために、光記録媒体の高密度化に関する研究が進められ、例えば、高品位のＤＶＤであるＨＤ−ＤＶＤやブルーレイディスク（以下、ＢＤという。）といった高密度化された光記録媒体も実用化されてきている。
【０００３】
このような光記録媒体の記録再生を光ディスク装置によって場合、光記録媒体に光ビームを照射して情報の記録や情報の読み取りを可能とする光ピックアップ装置が用いられる。この光ピックアップ装置においては、光源から出射される光ビームが光記録媒体の記録面に集光するように対物レンズが備えられるが、この対物レンズは、少なくとも、光記録媒体の面振れ等によらず、光源からの光ビームの焦点が常に光記録媒体の記録面に合うように、また、光ビームのスポット位置が光記録媒体に形成されるトラックからずれないように、アクチュエータによってその位置が制御される。
【０００４】
このような対物レンズの位置の制御を可能とする対物レンズアクチュエータは、対物レンズを保持する対物レンズホルダを電磁力によって変位させる構成が一般的であるが、その方式には、例えば、対物レンズホルダを支軸に摺動可能に設け、電磁力によって対物レンズホルダを支軸に対して摺動させながら対物レンズを変位させるタイプ（軸摺動型と呼ばれることがあるタイプ）、棒状の弾性支持部材によって対物レンズホルダを変位可能に支持し、電磁力によって対物レンズホルダを変位させるタイプ（懸架型と呼ばれることがあるタイプ）、その他、特許文献１に示される板ばねで対物レンズホルダを支持するタイプのもの等がある。
【０００５】
このうち、最近では、チルトができる等の利点を有することから上述の懸架型が主流となりつつある。以下、懸架型の対物レンズアクチュエータの従来の構成について説明する。図９は、従来の対物レンズアクチュエータの構成を示す概略平面図であり、図１０は、従来の対物レンズアクチュエータの構成を示す概略側面図である。以下、図９と図１０とを参照しながら従来の対物レンズアクチュエータについて説明する。
【０００６】
対物レンズアクチュエータ１００は、大きくは、強磁性を有する金属性のベース部材１と、樹脂成型品のレンズホルダ２と、より構成される。ベース部材１のほぼ中央には、光ビームを通過させる貫通孔（図示せず）が形成され、詳細は後述するレンズホルダ２が配置される。また、ベース部材１上には、レンズホルダ２を挟むように所定間隔をあけて相互に対向する一対の永久磁石３ａ、３ｂが立設されている。これらの各永久磁石３ａ、３ｂは、それぞれの外面がベース部材１から折曲形成された突片１ａ、１ｂに磁着されることで、ベース部材１と磁性的に一体化された状態で固定される。
【０００７】
更にベース部材１には、永久磁石３ａ、３ｂの間に挟まれて、永久磁石３ａ、３ｂと同様の方向で対向配置される一対のヨーク４ａ、４ｂが立設されている。これらの各ヨーク４ａ、４ｂは、ベース部材１から折曲形成されて成る。ここで、各ヨーク４ａ、４ｂは、各永久磁石３ａ、３ｂから磁束を有効に引き込んで、主として、両者の間に配置される後述のフォーカスコイル６、トラックコイル７ａ〜７ｄに高密度の磁束を与え、これにより、レンズホルダ２の駆動効率を高める役割を担う。
【０００８】
レンズホルダ２は、光ビームが通過できるように、その中央部に図９における紙面方向に延びる光路孔（図示せず）が形成され、空洞の上部側に設けられる対物レンズ保持部８で対物レンズ９を保持する。なお、対物レンズ保持部８に保持される対物レンズ９は、その光軸が図９における紙面方向と平行となるように搭載される。また、レンズホルダ２には、上述のヨーク４ａ、４ｂが貫通可能となるように空洞部１０ａ、１０ｂが設けられている。
【０００９】
レンズホルダ２の側壁の外側には、レンズホルダ２に搭載される対物レンズ９の光軸を取り巻くようにフォーカスコイル６が設けられ、レンズホルダ２に対して接着剤等で固着されている。また、レンズホルダ２の側壁のうち、各永久磁石３ａ、３ｂと対向する両側壁の外側には、トラックコイル７ａ〜７ｄが、それぞれ左右に一対ずつ対向するように設けられ、全体として１本の線で繋がっている。
【００１０】
また、ベース部材１上には、一方の永久磁石３ｂが磁着された突片１ｂの外面側に、ポリカーボネート等の樹脂成型品のゲルホルダ１１が固定され、更にそのゲルホルダ１１の外側に隣接して回路基板１２が立設されている。この回路基板１２には、左右両側において、それぞれ上下方向に２箇所ずつ、導電性を有するワイヤ１３ａ、１３ｂ、１３ｃ、１３ｄの各一端がハンダ付けにて接続されている。これらの４本の各ワイヤ１３ａ〜１３ｄは、回路基板１２への接続箇所に対応した位置、すなわち左右両側においてそれぞれ上下方向に２箇所ずつゲルホルダ１１に形成された貫通孔１４ａ、１４ｂ、１４ｃ、１４ｄを挿通している。
【００１１】
そして、上段の各ワイヤ１３ａ、１３ｃの他端は、レンズホルダ２に設けられるワイヤ支持部２ａ、２ｃにおいて、フォーカスコイル６とハンダ付けにて電気的に接続された状態で固定され、下段のワイヤ１３ｂ、１３ｄの他端は、レンズホルダ２に設けられるワイヤ支持部２ｂ、２ｄにおいて、トラックコイル７ａ〜７ｄにハンダ付けにて電気的に接続された状態で固定され、これにより、レンズホルダ２は、各ワイヤ１３ａ〜１３ｄによってベース部材１に対して揺動可能に支持される。
【００１２】
また、各ワイヤ１３ａ〜１３ｄが挿通されたゲルホルダ１１の各貫通孔１４ａ〜１４ｄ内には、シリコンを主成分とするゲル材が充填されている。ここでゲル材は、低粘度のゲル材（ゾル）がゲルホルダ１１の各貫通孔１４ａ〜１４ｄに注入された後、所定時間の紫外線照射によってゲル状に硬化したものである。そして、このゲルホルダ１１は、レンズホルダ２の駆動に応じて各ワイヤ１３ａ〜１３ｄに生じた振動をゲル材によって減衰し、抑制する役目を果たす。
【００１３】
このように構成される対物レンズアクチュエータ１００において、回路基板１２からワイヤ１３ａ、１３ｃを通じてフォーカスコイル６に電流が供給されると、ベース部材１、永久磁石３ａ、３ｂ及びヨーク４ａ、４ｂによって形成される磁気回路との電磁気的な作用により、レンズホルダ２はフォーカス方向Ｆ（図１０参照）に変位可能となる。このため、フォーカスコイル６に供給する電流の大きさ及び向きを調整することで対物レンズ９のフォーカス方向の調整が可能となる。
【００１４】
また、回路基板１２からワイヤ１３ｂ、１３ｄを通じてトラックコイル７ａ〜７ｄに電流が供給されると、ベース部材１、永久磁石３ａ、３ｂ及びヨーク４ａ、４ｂによって形成される磁気回路との電磁気的な作用により、レンズホルダ２は、トラッキング方向Ｔ（図９参照）に変位可能となる。このため、トラックコイル７ａ〜７ｄに供給する電流の大きさ及び向きを調整することで対物レンズ９のトラッキング方向の調整が可能となる。
【特許文献１】特開平６−１７６３８４号公報
【発明の開示】
【発明が解決しようとする課題】
【００１５】
しかしながら、以上に示した構成の対物レンズアクチュエータ１００においては、レンズホルダ２を変位可能に支持するワイヤ１３ａ〜１３ｄから、フォーカスコイル６やトラックコイル７ａ〜７ｄに給電する構成であるため、ワイヤ１３ａ〜１３ｄの両端部をハンダ付けしている。この場合、レンズホルダ２を支持するワイヤ１３ａ〜１３ｄのテンションやその取り付け角度等は、レンズホルダ２の駆動制御に大きな影響を及ぼすために、ワイヤ１３ａ〜１３ｄのハンダ付け作業は正確且つ慎重に行う必要があるが、ハンダ付け作業について、細かい調整を気にしながら行うことを要求すると、その作業負担は大きなものとなり、対物レンズアクチュエータの組み立てに時間を要したり、不良率が多くなったりする等の問題が発生する。
【００１６】
そして、光記録媒体の情報の高密度化に伴い、例えば、コマ収差の補正のために対物レンズ９のチルト制御が必要となったり、球面収差の補正のためにレンズホルダ２に液晶素子を搭載したりする必要が生じるために、チルト用のコイルや液晶素子に給電するためのワイヤ（レンズホルダを支持するワイヤ）が必要となることがあり、この場合、ワイヤ数が増加するために、ワイヤのハンダ付け作業の負担が更に大きくなる。
【００１７】
また、上述のように液晶素子の搭載等、レンズホルダ２に給電が必要な部材が増える度にレンズホルダ２を支持するワイヤの数を増やす構成とした場合、ワイヤの数の増加によって、レンズホルダ２の動作性が悪くなるといった問題も発生する。
【００１８】
この点、特許文献１に示されるように、フォーカスコイル６やトラックコイル７ａ〜７ｄへの給電をＦＰＣ（Flexible Print Circuit；フレキシブルプリント基板）を用い、このＦＰＣをレンズホルダ２の所まで延ばしてレンズホルダ２に接着する構成とし、ワイヤによる給電を行わないことも考えられるが、ＦＰＣをレンズホルダ２と接着した場合には、ＦＰＣはその特性としてある程度の剛性を有するために、その点を考慮してレンズホルダ２の動作制御を行う必要があるために、対物レンズ９の変位の制御が非常に難しくなるといった問題がある。
【００１９】
以上の問題点を鑑みて、本発明の目的は、弾性支持部材によって対物レンズホルダを変位可能に支持し、電磁力によって対物レンズを変位させる対物レンズアクチュエータにおいて、作業負担が少なく組み立てられる対物レンズアクチュエータを提供することである。また、本発明の他の目的は、対物レンズホルダ部分で必要な給電端子の数が増えても、対物レンズホルダの動作性に優れる対物レンズアクチュエータを提供することである。更に、本発明の他の目的は、そのような対物レンズアクチュエータを備えることにより、組み立てが容易で、サーボ制御を安定して行える光ディスク装置を提供することである。
【課題を解決するための手段】
【００２０】
上記目的を達成するために本発明は、光源と、該光源から出射される光ビームを光記録媒体の記録面に集光する対物レンズと、前記記録面で反射された反射光を受光する光検出器と、前記対物レンズを保持し、少なくともフォーカス方向への推進力を発生させるフォーカスコイルとトラッキング方向に推進力を発生させるトラックコイルとを含む複数のコイルが固着されたレンズホルダと、前記レンズホルダを変位可能に支持する弾性支持部材と、ベース部材に設けられて磁気回路を形成する磁石及びヨークと、を有して前記磁石と前記コイルとの電磁力作用によって前記レンズホルダの移動とともに前記対物レンズを変位させる対物レンズアクチュエータと、を備える光ディスク装置において、前記レンズホルダは、液晶と該液晶を挟む２枚の透明電極とを有する液晶素子を保持し、前記レンズホルダの近傍に配置されて前記ベース部材に立設される固定部には、前記コイル及び前記透明電極に給電して前記コイル及び前記液晶素子の制御を可能とするフレキシブルプリント基板が固着されており、前記コイルのコイル線両端部、及び前記透明電極から引き出される配線は、前記レンズホルダの外部にたるみを有した状態で引き出されて前記フレキシブルプリント基板に電気的に接続され、前記弾性支持部材は、接着剤で前記対物レンズホルダに固着されることを特徴としている。
【００２１】
上記目的を達成するために本発明は、対物レンズと、前記対物レンズを保持し、複数のコイルが固着されたレンズホルダと、前記レンズホルダを変位可能に支持する弾性支持部材と、ベース部材に設けられて磁気回路を形成する磁石及びヨークと、を備え、前記磁石と前記コイルとの電磁力作用によって前記レンズホルダの移動とともに前記対物レンズを変位させる対物レンズアクチュエータにおいて、前記レンズホルダの近傍には、前記コイルに給電して前記コイルの制御を可能とするフレキシブルプリント基板が延び出しており、前記コイルのコイル線両端部は、前記レンズホルダの外部に引き出されて前記フレキシブルプリント基板と電気的に接続されることを特徴としている。
【００２２】
また、本発明は、上記構成の対物レンズアクチュエータにおいて、前記弾性支持部材は、接着剤で前記レンズホルダに固着されることを特徴としている。
【００２３】
また、本発明は、上記構成の対物レンズアクチュエータにおいて、前記フレキシブルプリント基板は、前記ベース部材に立設される固定部に固着されることを特徴としている。
【００２４】
また、本発明は、上記構成の対物レンズアクチュエータにおいて、前記レンズホルダは、液晶と該液晶を挟む２枚の透明電極とを有する液晶素子を保持し、前記フレキシブルプリント基板は、前記透明電極に給電して前記液晶素子の制御を可能に設けられ、前記透明電極から引き出される配線は、前記レンズホルダの外部まで引き出されて前記フレキシブルプリント基板に電気的に接続されることを特徴としている。
【００２５】
また、本発明は、上記構成の対物レンズアクチュエータにおいて、前記コイル線、又は前記コイル線及び前記配線のうち、前記レンズホルダから外部に引き出される部分はたるみを有することを特徴としている。
【００２６】
また、本発明は、上記構成の対物レンズアクチュエータにおいて、前記コイルには、少なくともフォーカス方向への推進力を発生させるフォーカスコイルと、トラッキング方向に推進力を発生させるトラックコイルとが含まれることを特徴としている。
【００２７】
また、本発明は、上記構成の対物レンズアクチュエータを備える光ディスク装置であることを特徴としている。
【発明の効果】
【００２８】
本発明の第１の構成によれば、光ディスク装置が備える対物レンズアクチュエータにおいて、対物レンズを変位させるための推進力を得るためにコイルに供給する電流を、フレキシブルプリント基板によって供給する構成であるために、従来のようにレンズホルダを支持する弾性支持部材を通じてコイルに給電する必要がない。このため、ワイヤ等の弾性支持部材をハンダ付けによってレンズホルダに取り付ける必要がなくなり、ワイヤ等の弾性支持部材を接着剤でレンズホルダに固着できるために、その取り付けが容易となる。また、レンズホルダに液晶素子を搭載する場合でも、それに合わせて弾性支持部材の数を増加させる必要がなく、弾性支持部材の増加によるレンズホルダの動作性の悪化を防止できる。更に、レンズホルダの外部にコイル線をたるんだ状態で引き出して、コイル線を固定部に固着されたフレキシブルプリント基板と接続する構成であるために、レンズホルダに余計な力がほとんど加わらず、レンズホルダの変位動作に悪影響を及ぼさない。このため、本発明の光ディスク装置は、組み立て時の作業性が良く、サーボ制御を安定して行うことが可能である。
【００２９】
また、本発明の第２の構成によれば、対物レンズを変位させるための推進力を得るためにコイルに供給する電流を、フレキシブルプリント基板によって供給する構成であるために、従来のようにレンズホルダを支持する弾性支持部材を通じてコイルに給電する必要がない。このため、ワイヤ等の弾性支持部材をハンダ付けによってレンズホルダに取り付ける必要がなくなり、ワイヤ等の弾性支持部材の取り付けが容易となる。また、フレキシブルプリント基板とコイル線とのハンダ付けによる接続は一つの面で行えるために、従来のように、レンズホルダの２つの面でハンダ付け作業をする場合に比べ、作業負担が少ない。また、レンズホルダの外部にコイル線を引き出して、コイル線をフレキシブルプリント基板と接続する構成であるために、レンズホルダの動作制御について、フレキシブルプリント基板の剛性等を考慮する必要がなく、対物レンズの変位の調整が容易である。
【００３０】
また、本発明の第３の構成によれば、上記第２の構成の対物レンズアクチュエータにおいて、弾性支持部材のレンズホルダに対する固着を、接着剤によって行う構成であるために、弾性支持部材のレンズホルダへの固着作業が容易である。
【００３１】
また、本発明の第４の構成によれば、上記第２又は第３の構成の対物レンズアクチュエータにおいて、レンズホルダから引き出されるコイル線と接続されるフレキシブルプリント基板が固定されているために、フレキシブルプリント基板からレンズホルダに力が加わることが無く、レンズホルダの変位について安定した制御が可能である。
【００３２】
また、本発明の第５の構成によれば、上記第２から第４のいずれかの構成の対物レンズアクチュエータにおいて、対物レンズを保持するレンズホルダに液晶素子も搭載する場合、従来、弾性支持部材であるワイヤ等の本数が増えて、ハンダ付けの作業負担の増大や、レンズホルダの動作性の悪化といった問題があったが、液晶素子から引き出される配線についても、レンズホルダの外部でフレキシブルプリント基板と接続する構成のために、ハンダ付けの作業負担は軽減され、弾性支持部材の増加に伴うレンズホルダの動作性の悪化といった問題はない。
【００３３】
また、本発明の第６の構成によれば、上記第２から第５のいずれかの構成の対物レンズアクチュエータにおいて、レンズホルダから引き出されるコイル線や液晶素子からの配線がたるみを有するために、コイル線等にレンズホルダが引っ張られる等して、レンズホルダの動作に悪影響が及ぶのを防止できる。
【００３４】
また、本発明の第７の構成によれば、上記第２から第６のいずれかの構成の対物レンズアクチュエータにおいて、光ピックアップ装置に用いられる対物レンズアクチュエータを作業負担少なく組み立てることが可能となる。
【００３５】
また、本発明の第８の構成によれば、光ディスク装置が、上記第２から第７のいずれかの構成の対物レンズアクチュエータを備えるために、組み立てが容易で、サーボ制御を安定して行える光ディスク装置を提供できる。
【発明を実施するための最良の形態】
【００３６】
以下に本発明の実施形態を、図面を参照しながら説明する。なお、ここで示す実施形態は一例であり、本発明はここに示す実施形態に限定されるものではない。なお、説明にあたっては、本発明の対物レンズアクチュエータを備える光ディスク装置の全体構成、本発明の対物レンズアクチュエータの構成の詳細という順番で説明する。
【００３７】
（光ディスク装置の全体構成）
図１は、本発明の対物レンズアクチュエータを備える光ディスク装置の実施形態の構成を示すブロック図である。光ディスク装置２０は、光記録媒体３３の情報の再生、及び光記録媒体３３への情報の記録を行うことができる。２１は、スピンドルモータであり、光記録媒体３３は、このスピンドルモータ２１の上部に設けられるチャック部（図示せず）に着脱可能に保持される。そして、光記録媒体３３の情報の記録再生を行う際に、スピンドルモータ２１は光記録媒体３３を連続回転する。スピンドルモータ２１の回転制御は、スピンドルモータ制御部２２によって行われる。
【００３８】
２３は、光ピックアップ装置であり、光源から出射される光ビームを光記録媒体３３に照射し、光記録媒体３３への情報の書き込みと、光記録媒体３３に記録されている情報の読み取りを可能とする。図２は、光ディスク装置２０が備える光ピックアップ装置２３の光学系を示す概略図である。図２に示すように、光ピックアップ装置２３においては、光源３４から出射された光ビームは、コリメートレンズ３５で平行光となり、ビームスプリッタ３６を透過し、立ち上げミラー３７で反射されてその光軸が光記録媒体３３の記録面３３ａと略垂直とされ、液晶素子３８を通過して対物レンズ９によって光記録媒体３３の情報が記録される記録面３３ａに集光される。
【００３９】
光記録媒体３３で反射された反射光は、対物レンズ９、液晶素子３８の順に通過し、立ち上げミラー３７で反射された後、更にビームスプリッタ３６で反射されて集光レンズ３９によって光検出器４０の受光部（図示せず）に集光される。光検出器４０は受光した光ビームが有する光情報を電気信号に変換する。
【００４０】
なお、光ピックアップ装置２３が備える光源３４は、２波長一体型の半導体レーザであって、２種類の光記録媒体に対応可能となっている。そして、この場合、対物レンズ９を一方の種類の光記録媒体に対応するように設計した場合、他方の種類の光記録媒体について記録再生を行う際に、光記録媒体３３の記録面３３ａを保護する保護層３３ｂの厚みの違いにより球面収差が発生して記録再生品質が劣化するという問題が発生する。このため、本実施形態においては、液晶素子３８を配置して、球面収差の補正を行えるようになっている。
【００４１】
本実施形態の光ピックアップ装置２３が備える液晶素子３８の構成について、簡単に説明しておく。図３は、液晶素子３８の構成を説明するための図で、図３（ａ）は、液晶素子３８の構成を示す概略断面図で、図３（ｂ）は、図３（ａ）の液晶素子３８を上面から見た平面図である。
【００４２】
図３（ａ）に示すように、液晶素子３８は、液晶４１と、液晶４１を挟む２枚の透明電極４２ａ、４２ｂと、液晶４１と透明電極４２ａ、４２ｂで形成される部分４３を挟む２枚のガラス板４４と、を備えている。また、図３（ｂ）に示すように、液晶素子３８を構成する透明電極４２ａは同心円状の複数の領域に分割されている。一方、透明電極４２ａに対向する透明電極４２ｂは分割されることなく、全体で一つの共通電極となっている。なお、透明電極４２ａを分割して形成される領域の数（本実施形態では、５つとしている）は、本実施形態の構成に限らず、必要に応じて自由に変更されるものである。
【００４３】
このように構成される液晶素子３８の透明電極４２ａ、４２ｂに駆動電圧を印加した場合、液晶４１がその配向方向を変化して屈折率の変化を生じ、液晶素子３８を通過する光ビームは、液晶素子３８に印加される駆動電圧に応じて位相差を生じる。そして、液晶素子３８の透明電極４２ａは、上述のように複数に分割された構成となっているために、各領域に印加する電圧を調整することで、液晶素子３８を通過する光ビームに対して所望の位相差を発生し、球面収差の補正を適切に行うことが可能となる。
【００４４】
なお、透明電極４２ａの各領域及び透明電極４２ｂからは、配線４５が引き出されており、この配線４５は液晶素子制御部３０（図１参照）と繋がる。透明電極４２ａ、４２ｂから引き出される配線の引き回しについては後述する。
【００４５】
図１に戻って、光ディスク装置２０には信号処理部２５が設けられており、この信号処理部２５は、少なくともＲＦ信号処理部２６とトラックエラー信号処理部２７とフォーカスエラー信号処理部２８とを含んでいる。そして、これらの処理部は光検出器４０（図２参照）で変換された電気信号に基づいて、ＲＦ信号、トラックエラー信号（ＴＥ信号）、フォーカスエラー信号（ＦＥ信号）を生成する。ＲＦ信号はデータ復調部３２でデータに復調され、図示しないインターフェースを介してパソコン等の外部機器に出力される。
【００４６】
アクチュエータ制御部７は、上述のＴＥ信号、ＦＥ信号に基づいて、対物レンズ９を変位可能とする対物レンズアクチュエータ１５（図２参照）に駆動信号を供給する。駆動信号が供給された対物レンズアクチュエータ１５は、信号に基づいて各部を作動させて、対物レンズ９を光軸と平行な方向（フォーカス方向）に移動して光記録媒体３３の記録面３３ａにフォーカスを追従させるフォーカス制御、及び対物レンズ９を光記録媒体３３の半径方向と平行な方向（トラッキング方向）に移動して光ビームのスポット位置を光記録媒体３３に形成されるトラック位置に追従させるトラッキング制御を行う。なお、この対物レンズアクチュエータ１５には、上述の液晶素子３８も搭載される。対物レンズアクチュエータ１５の詳細は後述する。
【００４７】
その他、レーザ制御部２４は、光ピックアップ装置２３に備えられる光源３４（図２参照）のレーザ出力を制御する。また、全体制御部３１は、スピンドルモータ制御部２２、レーザ制御部２４、信号処理部２５、アクチュエータ制御部２９、液晶素子制御部３０、及びデータ復調部３２等を制御して、装置全体のコントロールを行う。
【００４８】
（対物レンズアクチュエータの構成）
次に、本実施形態の対物レンズアクチュエータ１５の構成について図面を参照しながら説明する。図４は本実施形態の対物レンズアクチュエータ１５の構成を示す概略平面図であり、図５は本実施形態の対物レンズアクチュエータ１５の構成を示す概略側面図である。ここで、従来の対物レンズアクチュエータ１００（図９、図１０参照）と重複する部分については、同一の符号を付している。そして、同一の符号を付した部分については、特に必要が無い限り、その説明は省略する。
【００４９】
本実施形態の対物レンズアクチュエータ１５においては、図４に示すように、ゲルホルダ１１（ベース部材１に立設される固定部に相当する）の上面部分に延び出したフレキシブルプリント基板５０（以下、ＦＰＣと省略して記載する）が、ゲルホルダ１１の上面部分に接着剤等で固着されている。
【００５０】
このＦＰＣ５０は、図５に示すように、対物レンズアクチュエータ１５の下部側の図示しないベース部分に固定されたＦＰＣ５０の一部が延び出したものであり、対物レンズアクチュエータ１５の下部側からゲルホルダ１１の背面に沿って延び出し、ゲルホルダ１１の上面に相当する位置でゲルホルダ１１側に屈曲している。そして、ゲルホルダ１１側に屈曲した部分が上述のように、ゲルホルダ１１に固着されている。
【００５１】
図６は、ＦＰＣ５０の構成を説明するための図で、実際には折り曲げられた状態で配置されるＦＰＣ５０を展開して示した展開図である。なお、この図においては、ＦＰＣ５０のパターンの詳細は省略している。このＦＰＣ５０によって、光ピックアップ装置２３全体の制御、光源３４である半導体レーザの制御、半導体レーザのレーザパワーをモニタするモニタ部の制御、対物レンズアクチュエータ１５の制御、及び液晶素子３８の制御等が可能となる。本実施形態では、図６における、一点鎖線で形成される矩形部分Ｑに囲まれた部分が、対物レンズアクチュエータ１５及び液晶素子３８の制御を可能とするための部分に相当する。
【００５２】
そして、図６における破線Ｏの部分を山折りし、山折りした際に下部側に配置されることなる対物レンズアクチュエータ及び液晶素子の制御部分（矩形の一点鎖線Ｑで囲まれる部分）を、破線Ｐの部分で谷折りすることで、図５に示すように、ＦＰＣ５０の一部がゲルホルダ１１の背面に沿って延び出すこととなる。
【００５３】
対物レンズアクチュエータ１５においては、従来の対物レンズアクチュエータ１００の場合と異なり、ＦＰＣ５０によって対物レンズアクチュエータ１５のコイル及び液晶素子３８の透明電極４２ａ、４２ｂ（図３参照）に給電して、その制御が可能となるために、別途回路基板１２（図９及び図１０参照）は配置されない。
【００５４】
そして、フォーカスコイル６のコイル線の両端部、トラックコイル７ａ〜７ｄのコイル線の両端部（従来例の部分で説明したようにトラッキングコイル７ａ〜７ｄは一本の線から成る）、及び液晶素子３８の透明電極４２ａ、４２ｂから引き出される配線の端部は、ゲルホルダ１１の上面に固着されるＦＰＣ５０のランド部分とハンダ付けにて電気的に接続される。なお、図５においては、便宜的にコイル線及び配線の一部を省略して示している。
【００５５】
このため、弾性支持部材であるワイヤ１３ａ〜１３ｄは、従来の場合のように給電線として使用されないために、ワイヤ１３ａ〜１３ｄと、フォーカスコイル６、トラックコイル７ａ〜７ｄ、及び液晶素子３８の透明電極４２ａ、４２ｂから引き出される配線４５と、をハンダ付けする必要がなく、ワイヤ１３ａ〜１３ｄとレンズホルダ２とは、ワイヤ支持部２ａ〜２ｄにおいて接着剤を用いて固定されている。従って、ワイヤ１３ａ〜１３ｄの取り付け作業を容易に行うことが可能となり、対物レンズアクチュエータ１５の組み立ての作業性が向上する。
【００５６】
なお、フォーカスコイル６のコイル線の両端部、トラックコイル７ａ〜７ｄのコイル線の両端部、及び液晶素子３８の透明電極４２ａ、４２ｂから引き出される配線４５の端部と、ＦＰＣ５０と、のハンダ付け作業は一つの面で行え、更に、ワイヤ１３ａ〜１３ｄの場合のようにテンション等の調整を気にせず行えるために、従来のワイヤ１３ａ〜１３ｄをハンダ付けして固定する場合に比べて作業負担が少ない。
【００５７】
また、ワイヤ１３ａ〜１３ｄは給電線として使用されないために、その本数は自由に設定可能である。このため、レンズホルダ２を支持可能で、レンズホルダ２をスムーズに動作させることができる範囲で、ワイヤの数は自由に設定すれば良いが、片側２本ずつの計４本か、片側３本ずつの計６本が好ましい。
【００５８】
なお、本実施形態においては、ワイヤ１３ａ〜１３ｄは、レンズホルダ２に接着剤で固定する構成としているが、その他、例えば、ワイヤ支持部２ａ〜２ｄにゲル材を設けて、ワイヤ１３ａ〜１３ｄをゲル材に挿通して固定する構成等としても構わない。
【００５９】
次に、フォーカスコイル６のコイル線両端部、トラックコイル７ａ〜７ｄのコイル線両端部、及び液晶素子３８の透明電極４２ａ、４２ｂから引き出される配線端部がレンズホルダ２の外部に引き出される構成について説明する。図７は、対物レンズアクチュエータ１５のレンズホルダ２の構成を示す斜視図である。
【００６０】
図７に示すように、フォーカスコイル６のコイル線の両端部５１ａ、５１ｂは、レンズホルダ２の磁石３ｂ（図４参照）と対向する面のほぼ同位置からレンズホルダ２の外部へと引き出されてＦＰＣ５０（図４参照）と接続される。トラックコイル７ａ〜７ｄは、上述のように一本の線で繋がっており、その一方の端部５２ａはトラックコイル７ｃの部分からレンズホルダ２の外部へと引き出されてＦＰＣ５０に接続され、他方の端部５２ｂはトラックコイル７ａからレンズホルダ２の側面に沿ってトラックコイル７ｃ側に回され、レンズホルダ２の外部へと引き出されてＦＰＣ５０に接続される。
【００６１】
図８は、図７のＡ−Ａの部分で切断した概略断面図である。液晶素子３８の配線４５（透明電極４２ａから５本、透明電極４２ｂから１本引き出される）の端部は、図７に示すように、レンズホルダ２内部の液晶素子３８が保持される位置近傍に設けられる貫通孔５３、５４と、レンズホルダ２の磁石３ｂと対向する側面に設けられる貫通孔５５と、を通じてレンズホルダ２の外部に引き出されてＦＰＣ５０に接続される。
【００６２】
なお、貫通孔５３は透明電極４２ａから引き出される５本の配線を引き出すために５つ設けられ、貫通孔５４は透明電極４２ｂから引き出される１本の配線を引き出すために１つ設けられ、貫通孔５５は、透明電極４２ａ、４２ｂから引き出される配線を外部に引き出せるように６つ設けられている。また、貫通孔５３、５４から貫通孔５５へと配線を引き回す際には、ヨーク４ｂ（図４参照）が存在するためにヨーク４ｂを迂回するように配線が引き回される。
【００６３】
また、レンズホルダ２から外部に引き出されるコイル線や液晶素子３８からの配線は、たるみを有するのが好ましい。たるみを全く有さない場合、レンズホルダ２が変位する場合にコイル線等の影響でレンズホルダ２を適切に変位できない場合があるからである。また、レンズホルダ２から引き出されるコイル線等同士がショートしないようにコイル線等に絶縁膜を設けておく構成等としても良い。
【００６４】
以上に示した本実施形態においては、ＦＰＣ５０をゲルホルダ１１に固着する構成としているが、ＦＰＣ５０がレンズホルダ２の近傍に配置される構成であれば良く、本実施形態の構成に限定されるものではない。
【００６５】
また、本実施形態においては、レンズホルダ２に保持される液晶素子３８について、球面収差を補正する構成としているが、液晶素子３８を搭載しない構成や、液晶素子３８を他の目的（例えば、コマ収差の補正やＲＩＭ強度の調整）のために配置する構成等としても、もちろん構わない。また、液晶素子に限らず、レンズホルダ２に給電が必要な他の素子を配置するような場合にも、本発明は適用可能である。
【００６６】
また、本実施形態の対物レンズアクチュエータ１５は、対物レンズ９をフォーカス方向とトラッキング方向との２方向にのみ変位する構成となっているが、この２方向への移動以外に、例えば、コマ収差の補正を行う目的で、対物レンズ９を光軸に対して傾けることができるように、チルト用のコイルを設ける場合にも本発明は適用可能である。
【産業上の利用可能性】
【００６７】
本発明の対物レンズアクチュエータは、組み立て作業性に優れ、対物レンズ以外に液晶素子等の給電が必要な素子を搭載する場合においても、対物レンズを保持する対物レンズホルダをスムーズに動作可能であり、有用である。
【図面の簡単な説明】
【００６８】
【図１】は、本発明の対物レンズアクチュエータを備える光ディスク装置の実施形態の構成を示すブロック図である。
【図２】は、本実施形態の光ディスク装置が備える光ピックアップ装置の光学系の構成を示す概略図である。
【図３】は、本実施形態の液晶素子の構成を説明する説明図である。
【図４】は、本実施形態の対物レンズアクチュエータの構成を示す概略平面図である。
【図５】は、本実施形態の対物レンズアクチュエータの構成を示す概略側面図である。
【図６】は、本実施形態のフレキシブルプリント基板の構成を説明するための説明図である。
【図７】は、本実施形態の対物レンズアクチュエータが備えるレンズホルダの構成を示す斜視図である。
【図８】は、図７のＡ−Ａの部分で切断した概略断面図である。
【図９】は、従来の対物レンズアクチュエータの構成を示す概略平面図である。
【図１０】は、従来の対物レンズアクチュエータの構成を示す概略側面図である。
【符号の説明】
【００６９】
１                                ベース部材
２                                レンズホルダ
３ａ、３ｂ                        磁石
４ａ、４ｂ                        ヨーク
６                                フォーカスコイル
７ａ、７ｂ、７ｃ、７ｄ            トラックコイル
９                                対物レンズ
１１                              ゲルホルダ（固定部）
１３ａ、１３ｂ、１３ｃ、１３ｄ    ワイヤ（弾性支持部材）
１５                              対物レンズアクチュエータ
２０                              光ディスク装置
３３                              光記録媒体
３３ａ                            記録面
３４                              光源
３８                              液晶素子
４０                              光検出器
４１                              液晶
４２ａ、４２ｂ                    透明電極
４５                              配線
５１ａ、５１ｂ、５２ａ、５２ｂ    コイル線の端部
【図１】
2007334949.tif 000003
【図２】
2007334949.tif 000004
【図３】
2007334949.tif 000005
【図６】
2007334949.tif 000006
【図７】
2007334949.tif 000007
【図８】
2007334949.tif 000008
【図４】
2007334949.tif 000009
【図５】
2007334949.tif 000010
【図９】
2007334949.tif 000011
【図１０】
2007334949.tif 000012